(57)【要約】【課題】顔画像が埋め込まれた電子広告をユーザに提供することで、ユーザに広告の有益性を認識する機会を提供することが可能な広告配信システム、広告配信方法、およびプログラムを提供すること。【解決手段】本発明の一態様の広告配信システムは、顔画像を取得する第１取得部と、前記第１取得部によって取得された前記顔画像を、電子広告に含まれる商品の画像の少なくとも一部に埋め込んだ合成画像を生成する合成部と、を備える。【選択図】図３
2019091366.tif 000002
【特許請求の範囲】
【請求項１】
顔画像を取得する第１取得部と、
前記第１取得部によって取得された前記顔画像を、電子広告に含まれる商品の画像の少なくとも一部に埋め込んだ合成画像を生成する合成部と、
を備える広告配信システム。
【請求項２】
前記第１取得部によって取得された前記顔画像と類似する顔を持つユーザに関連付けられた前記商品の関連情報を取得する第２取得部をさらに備える、
請求項１に記載の広告配信システム。
【請求項３】
前記関連情報は、前記類似する顔を持つユーザのうち、前記商品を購入したユーザの割合を示す購入率を含む、
請求項２に記載の広告配信システム。
【請求項４】
前記合成部によって生成された前記合成画像と、前記第２取得部によって取得された前記関連情報とを含む前記電子広告を生成する生成部をさらに備える、
請求項２または３に記載の広告配信システム。
【請求項５】
前記生成部は、前記電子広告を閲覧するユーザによる画像合成の指示を受け付け可能な前記電子広告を生成する、
請求項４に記載の広告配信システム。
【請求項６】
前記生成部は、前記ユーザによる画像合成の指示を受け付けた前記電子広告に含まれる商品について、前記類似する顔を持つユーザのうち前記商品を購入したユーザの割合を示す購入率が閾値未満である場合、前記商品と同じ広告主の他の商品の情報を含む電子広告を生成する、
請求項５に記載の広告配信システム。
【請求項７】
顔画像と、前記顔画像のユーザの商品の購入情報とが関連付けられた複数のデータを記憶する記憶部と、
前記記憶部に記憶された前記顔画像の各々が、前記第１取得部によって取得された前記顔画像と類似するか否かを判定する判定部と、
をさらに備え、
前記第２取得部は、前記判定部によって類似すると判定された前記顔画像を持つユーザに関する前記商品の関連情報を取得する、
請求項２から６のいずれか一項に記載の広告配信システム。
【請求項８】
前記第２取得部によって取得された前記関連情報に基づいて、配信対象の前記電子広告を決定する決定部をさらに備える、
請求項２から７のいずれか一項に記載の広告配信システム。
【請求項９】
前記決定部は、前記第１取得部によって取得された前記顔画像と類似する顔を持つユーザの購入率が最も高い商品の電子広告を配信対象として決定する、
請求項８に記載の広告配信システム。
【請求項１０】
コンピュータが、
顔画像を取得し、
前記取得された前記顔画像を、電子広告に含まれる商品の画像の少なくとも一部に埋め込んだ合成画像を生成する、
広告配信方法。
【請求項１１】
コンピュータに、
顔画像を取得させ、
前記取得された前記顔画像を、電子広告に含まれる商品の画像の少なくとも一部に埋め込んだ合成画像を生成させる、
プログラム。
【発明の詳細な説明】
【技術分野】
【０００１】
本発明は、広告配信システム、広告配信方法、およびプログラムに関する。
【背景技術】
【０００２】
近年、ユーザがインターネットを介してウェブサイトにアクセスした際に、そのウェブサイトに広告を掲載し、広告がクリックまたはタップされたときに広告主のウェブサイトにユーザを誘導する広告配信の仕組みが採用されている。
【先行技術文献】
【特許文献】
【０００３】
【特許文献１】特開２００１−２７３４４６号公報
【発明の概要】
【発明が解決しようとする課題】
【０００４】
上記のような広告配信の仕組みにおいては、ユーザにとって有益な広告がウェブサイトに掲載されている場合であっても、ユーザがその広告に興味を示さないことや、その広告の有益性に気付かないことも多い。このため、ユーザが興味を持ちやすく、広告の有益性を認識しやすく、さらにはユーザの購買意欲が高まるような広告配信の仕組みが求められている。
【０００５】
インターネットを利用して洋服等を販売するショッピングサイトにおいては、ユーザの画像を用いて画面上で試着が出来るシステムが提案されている（例えば、特許文献１参照）。しかしながら、広告配信にユーザの画像を用いる手法は未だ知られていない。
【０００６】
本発明は、このような事情を考慮してなされたものであり、ユーザに広告の有益性を認識する機会を提供することが可能な広告配信システム、広告配信方法、およびプログラムを提供することを目的の一つとする。
【課題を解決するための手段】
【０００７】
本発明の一態様は、顔画像を取得する第１取得部と、前記第１取得部によって取得された前記顔画像を、電子広告に含まれる商品の画像の少なくとも一部に埋め込んだ合成画像を生成する合成部と、を備える広告配信支援装置である。
【発明の効果】
【０００８】
本発明の一態様によれば、ユーザに広告の有益性を認識する機会を提供することが可能である。
【図面の簡単な説明】
【０００９】
【図１】実施形態に係る広告配信支援装置の使用環境の一例を示す図である。
【図２】実施形態に係る広告配信サーバの機能構成を示す機能ブロック図である。
【図３】実施形態に係る広告配信支援装置の機能構成を示す機能ブロック図である。
【図４】実施形態に係る広告配信支援装置に記憶された画像関連情報の一例を示す図である。
【図５】実施形態に係る広告配信システムの第１の動作の流れの一例を示すシーケンス図である。
【図６】実施形態に係る端末装置に表示される広告の一例を示す図である。
【図７】実施形態に係る端末装置に表示される広告の他の例を示す図である。
【図８】実施形態に係る端末装置に表示される広告の他の例を示す図である。
【図９】実施形態に係る広告配信システムの第２の動作の流れの一例を示すシーケンス図である。
【図１０】実施形態に係る端末装置に表示される広告の一例を示す図である。
【発明を実施するための形態】
【００１０】
以下、図面を参照して、本発明の広告配信システム、広告配信方法、およびプログラムの実施形態について説明する。
【００１１】
［概要］
実施形態の広告配信支援装置は、ユーザからのサービス要求に対して、広告（電子広告）が付加されたコンテンツを提供するシステムにおいて、広告にユーザの画像を埋め込んだ（合成した）広告素材を生成する装置である。また、本実施形態の広告配信支援装置は、ユーザの顔の特徴に応じて、広告に関連する情報を提供する装置である。
【００１２】
このシステムにより提供されるコンテンツには、例えば、ブラウザによって参照されるウェブページの他、アプリケーションプログラムによって参照されるアプリページが含まれる。これらのウェブページおよびアプリページは、検索サイト、ニュースサイト、ショッピングサイト、オークションサイト、天気予報サイト、ＳＮＳ（Social Networking Service）サイト、ゲームサイト等を構成するページである。
【００１３】
［全体構成］
図１は、広告配信支援装置４０の使用環境の一例を示す図である。広告配信支援装置４０は、ネットワークＮＷに接続される。ネットワークＮＷには、広告配信支援装置４０の他、例えば、少なくとも１つの端末装置１０と、少なくとも１つのサービス提供装置２０と、少なくとも１つの広告配信サーバ３０と、少なくとも１つの広告主サーバ５０とが接続される。ネットワークＮＷは、例えば、インターネット、ＷＡＮ（Wide Area Network）やＬＡＮ（Local Area Network）、プロバイダ装置、無線基地局、専用回線などのうち一部または全部を含む。広告配信サーバ３０と、広告配信支援装置４０とが、本実施形態の広告配信システムを構成する。尚、広告配信サーバ３０と、広告配信支援装置４０とは１つの装置として構成されてもよい。例えば、広告配信サーバ３０が、広告配信支援装置４０の上述の機能を「付加サービス機能」として備えるものであってよい。
【００１４】
端末装置１０は、サービス提供装置２０によって提供されるコンテンツを利用する（広告を閲覧する）ユーザによって操作される。端末装置１０は、例えば、パーソナルコンピュータ、スマートフォン等の携帯電話やタブレット端末、ＰＤＡ（Personal Digital Assistant）等である。
【００１５】
端末装置１０は、ユーザから所定の操作を受け付けると、予めインストールされたブラウザによって、サービス提供装置２０によって提供されるウェブページを表示する。このウェブページには、広告が含まれている。また、端末装置１０は、ユーザから所定の操作を受け付けると、予めインストールされたアプリケーションを介してサービス提供装置２０と通信を行い、アプリケーション上で表示或いは再生するコンテンツを取得する。コンテンツは、例えば、動画データや、画像データ、音声データ、テキストデータ等であり、広告が含まれている。これによって、端末装置１０には、アプリケーションを介して、上述した各種ウェブページにより提供されるサービスと同様のサービス（例えば、ニュース記事等）が提供される。
【００１６】
サービス提供装置２０は、インターネット上において、上述した検索サイトやショッピングサイト等のウェブページを提供するウェブサーバ装置であってよいし、アプリケーションが起動された端末装置１０と通信を行って、各種情報の受け渡しを行うアプリケーションサーバ装置であってもよい。
【００１７】
サービス提供装置２０は、ウェブページを生成する際、広告配信サーバ３０により配信される広告を示す情報（例えば、広告のＵＲＬ（Uniform Resource Locator））を受信する。そして、サービス提供装置２０は、ウェブページの一部の領域（広告配信枠）に、少なくとも１つの広告のＵＲＬを含むウェブページを端末装置１０に送信する。端末装置１０は、広告のＵＲＬに基づいて、広告に対応するコンテンツ（画像、音声、その他）のリクエストを広告配信サーバ３０に送信することで、広告に対応するコンテンツを取得する。そして、端末装置１０は、ウェブページに基づく画像の一部に取得した広告の画像を埋め込んで表示する。尚、サービス提供装置２０は、ウェブページの広告配信枠に、画像やテキストを含む少なくとも１つの広告を埋め込んだウェブページを生成して端末装置１０に送信してもよい。尚、アプリケーションによってコンテンツが再生される場合も、同様の処理が行われる。
【００１８】
広告配信サーバ３０は、サービス提供装置２０からの広告の配信要求を受信し、例えば、入札額に応じて配信対象の広告を決定するオークション方式等により少なくとも１つの配信対象の広告を決定し、決定した広告のＵＲＬ等をサービス提供装置２０に送信する。また、広告配信サーバ３０は、端末装置１０からの広告に対応するコンテンツのリクエストを受信し、対応するコンテンツを端末装置１０に送信する。尚、広告配信サーバ３０は、ウェブサイトへのログイン時等にユーザの特性情報が得られている場合には、この特性情報に基づいて、少なくとも１つの配信対象の広告を決定してもよい。例えば、広告配信サーバ３０は、特性情報として性別が得られている場合には、男性には男性用の広告を配信対象として決定し、女性には女性用の広告を配信対象として決定してもよい。
【００１９】
広告配信サーバ３０により提供される広告に対応するコンテンツは、ユーザの顔の画像（顔画像）を合成することが可能なコンテンツを含む。この広告の対象となる商品は、例えば、眼鏡、洋服、帽子、装飾具、旅行、結婚式等のユーザの顔画像を合成することによって、広告に対応する商品がユーザに似合うといった気付きや、購買意欲をユーザに与えるような商品であってよい。また、この広告に対応するコンテンツは、ユーザの全身画像、上半身画像等の画像等を合成することが可能なコンテンツを含んでもよい。また、この広告に対応するコンテンツは、ユーザ以外の他人の顔画像、ペットの画像等を合成することが可能なコンテンツを含んでもよい。以下においては、広告に対応するコンテンツに、ユーザの顔画像を合成する例について説明する。
【００２０】
また、広告配信サーバ３０は、端末装置１０から取得したユーザの顔の特徴に応じて、少なくとも１つの配信対象の広告を決定し、決定した広告のＵＲＬ等をサービス提供装置２０に送信する。例えば、広告配信サーバ３０は、端末装置１０から取得したユーザの顔の特徴と同様の顔の特徴を持つ他のユーザの購入情報から、少なくとも１つの配信対象の広告を決定する。
【００２１】
広告配信支援装置４０は、広告に対応するコンテンツにユーザの顔画像を合成した広告素材を生成する。また、広告配信支援装置４０は、端末装置１０から取得したユーザの顔の特徴に応じた、広告に関連する情報を提供する。広告に関連する情報は、例えば、端末装置１０から取得したユーザの顔の特徴と同様の顔の特徴を持つ他のユーザに関する、広告に関連する商品の購入情報の情報である。
【００２２】
広告主サーバ５０は、広告の広告主によって管理され、広告主から広告の情報の入力を受け付け、広告配信サーバ３０に送信する。また、広告主サーバ５０は、インターネット上において、広告に対応するウェブページを提供するウェブサーバ装置として機能してよい。
【００２３】
［広告配信サーバの構成］
以下、広告配信サーバ３０の構成について説明する。図２は、広告配信サーバ３０の機能構成を示す機能ブロック図である。広告配信サーバ３０は、例えば、通信部３１（第１取得部）と、広告決定部３３（決定部、生成部）と、記憶部３５とを備える。
【００２４】
通信部３１は、例えば、ＮＩＣ等の通信インターフェースを含む。通信部３１は、ネットワークＮＷを介して、端末装置１０、サービス提供装置２０、広告配信支援装置４０、広告主サーバ５０等と通信する。
【００２５】
広告決定部３３は、サービス提供装置２０から広告の配信要求を受信し、例えば、オークション方式等により少なくとも１つの配信対象の広告を決定し、決定した広告のＵＲＬ等をサービス提供装置２０に送信する。また、広告決定部３３は、端末装置１０から広告に対するユーザの顔画像の合成要求を受信し、広告配信支援装置４０に対して顔画像の合成指示行う。
【００２６】
また、広告決定部３３は、端末装置１０から取得したユーザの顔の特徴に応じて、少なくとも１つの配信対象の広告を決定し、決定した広告のＵＲＬ等をサービス提供装置２０に送信する。例えば、広告決定部３３は、端末装置１０から取得したユーザの顔の特徴と同様の顔の特徴を持つ他のユーザの購入情報から、少なくとも１つの配信対象の広告を決定する。
【００２７】
記憶部３５は、広告主サーバ５０により提供された配信可能な広告の候補に関する情報（広告関連情報３５Ａ）を記憶する。
【００２８】
［広告配信支援装置の構成］
以下、広告配信支援装置４０の構成について説明する。図３は、広告配信支援装置４０の機能構成を示す機能ブロック図である。広告配信支援装置４０は、例えば、通信部４１（第１取得部）と、画像合成部４３（合成部）と、類似判定部４５（判定部）と、画像関連情報取得部４７（第２取得部）と、記憶部４９とを備える。
【００２９】
通信部４１は、例えば、ＮＩＣ等の通信インターフェースを含む。通信部４１は、ネットワークＮＷを介して、広告配信サーバ３０等と通信する。通信部４１は、広告配信サーバ３０から顔画像の合成指示を受信し、画像合成部４３により合成された合成画像を広告配信サーバ３０に送信する。また、通信部４１は、広告配信サーバ３０から受信した顔画像のデータを記憶部４９に記憶させる。
【００３０】
画像合成部４３は、広告配信サーバ３０から受信したユーザの顔画像と、広告に対応するコンテンツとを用いて、広告に対応するコンテンツの商品の画像の少なくとも一部にユーザの顔画像を合成した合成画像を生成する。
【００３１】
類似判定部４５は、記憶部４９に記憶された顔画像の各々が、広告配信サーバ３０から受信したユーザの顔画像と類似するか否かを判定する。例えば、類似判定部４５は、広告配信サーバ３０から受信したユーザの顔画像の所定の特徴量を算出し、記憶部４９に記憶された顔画像の各々の同種の特徴量と比較することで、類似の判定を行う。例えば、類似判定部４５は、この特徴量の差分が、予め定義された閾値を以下である顔画像を、互いに類似する顔画像と判定する。
【００３２】
尚、類似判定部４５は、例えば、広告配信サーバ３０から受信したユーザの顔画像のカラーヒストグラムを導出し、記憶部４９に記憶された顔画像の各々のカラーヒストグラムの形状と比較することで、類似の判定を行ってもよい。
【００３３】
画像関連情報取得部４７は、記憶部４９から、類似判定部４５により広告配信サーバ３０から受信したユーザの顔画像と類似すると判定された顔画像の各々と関連付けられた情報を取得する。また、画像関連情報取得部４７は、取得した情報に基づいて、広告に関連する情報を画像関連情報として算出する。画像関連情報取得部４７は、例えば、広告配信サーバ３０から受信したユーザの顔画像と類似すると判定された顔画像のユーザのうち、所定の広告に対応する商品を購入したユーザの割合（購入率）を画像関連情報として算出する。尚、画像関連情報取得部４７は、商品の購入率以外にも、アプリのインストール、入会登録など、広告主の期待する所定の行動（コンバージョン）がユーザによってとられた割合を画像関連情報として算出してもよい。
【００３４】
記憶部４９は、過去に取得されたユーザの顔画像と、このユーザに関連する各種情報とが関連付けられた情報（画像関連情報４９Ａ）を記憶する。図４は、記憶部４９に記憶された画像関連情報４９Ａの一例を示す図である。画像関連情報４９Ａは、例えば、広告を識別する広告ＩＤと、ユーザを識別するユーザＩＤと、ユーザの顔画像と、顔画像から算出される特徴量１から３と、広告と対応する商品が購入されたか否かを示す購入情報とが関連付けられたデータを含む。
【００３５】
特徴量１から３の各々は、例えば、顔画像における目と目の幅を示す特徴量、口の大きさを示す特徴量、顔の輪郭を示す特徴量、鼻の大きさを示す特徴量等の顔の類似判定に利用される情報である。尚、記憶部４９は、４つ以上の特徴量を記憶してもよい。また、ユーザＩＤは、サービス提供装置２０によって提供されるウェブサイトのログイン時に使用されるログインＩＤ、端末装置１０に備えられたウェブブラウザごとに管理されるクッキー（HTTP cookie）、端末装置１０のＩＰアドレスなどである。
【００３６】
広告ＩＤ、ユーザＩＤ、および顔画像は、後述する第１の動作または第２の動作内において記憶部４９に記憶される。特徴量１から３は、例えば、所定の時間間隔で実行されるバッチ処理等により、顔画像から算出されて記憶部４９に記憶される。購入情報は、例えば、所定の時間間隔で実行されるバッチ処理等により、他の記憶装置等で管理される購入履歴データに基づいて記憶部４９に記憶される。尚、画像関連情報４９Ａは、上記の商品の購入情報に加えて或いは代えて、アプリのインストール、入会登録など、広告主の期待する所定の行動がユーザによってとられたか否かを示す情報を含んでもよい。
【００３７】
広告配信サーバ３０および広告配信支援装置４０の各々の構成要素は、例えば、ＣＰＵ（Central Processing Unit）等のハードウェアプロセッサがプログラム（ソフトウェア）を実行することにより実現される。また、これらの構成要素のうち一部または全部は、ＬＳＩ（Large Scale Integration）やＡＳＩＣ（Application Specific Integrated Circuit）、ＦＰＧＡ（Field-Programmable Gate Array）、ＧＰＵ（Graphics Processing Unit）等のハードウェア（回路部；circuitryを含む）によって実現されてもよいし、ソフトウェアとハードウェアの協働によって実現されてもよい。
【００３８】
広告配信サーバ３０の記憶部３５および広告配信支援装置４０の記憶部４９の各々は、例えば、ＲＡＭ（Random Access Memory）、ＲＯＭ（Read Only Memory）、ＨＤＤ（Hard Disk Drive）、フラッシュメモリ、またはこれらのうち複数が組み合わされたハイブリッド型記憶装置等により実現される。また、記憶部３５および記憶部４９の各々の一部または全部は、ＮＡＳや外部のストレージサーバ等、広告配信サーバ３０および広告配信支援装置４０がアクセス可能な外部装置であってもよい。
【００３９】
［第１の動作］
以下、広告配信支援装置４０を含む広告配信システムの第１の動作について説明する。以下の説明では、サービス提供装置２０が、ウェブページを提供する例を説明する。図５は、広告配信支援装置４０を含む広告配信システムの第１の動作を示すシーケンス図である。まず、端末装置１０は、ユーザの操作に基づいて、ウェブページを要求するリクエスト（サービスリクエスト）をサービス提供装置２０に送信する（Ｓ１０１）。次に、サービス提供装置２０は、広告の配信要求を広告配信サーバ３０に送信する（Ｓ１０３）。
【００４０】
次に、広告配信サーバ３０は、記憶部３５に記憶された広告関連情報３５Ａを参照し、例えば、オークション方式等により少なくとも１つの配信対象の広告を決定し（Ｓ１０５）、決定した広告のＵＲＬ等をサービス提供装置２０に送信する（Ｓ１０７）。
【００４１】
次に、サービス提供装置２０は、広告配信枠に広告配信サーバ３０から受信した広告のＵＲＬを含むウェブページを生成し（Ｓ１０９）、生成したウェブページを端末装置１０に送信する（Ｓ１１１）。次に、端末装置１０は、受信したウェブページに含まれる広告のＵＲＬを用いて、広告に対応するコンテンツを要求するリクエストを広告配信サーバ３０に送信する（Ｓ１１３）。
【００４２】
次に、広告配信サーバ３０は、受信したリクエストに応じて、広告に対応するコンテンツを記憶部３５から読み出し、端末装置１０に送信する（Ｓ１１５）。次に、端末装置１０は、ウェブブラウザの機能により、広告に対応するコンテンツが埋め込まれたウェブページを表示する（Ｓ１１７）。例えば、端末装置１０は、図６に示すようなウェブページＰ１を表示する。
【００４３】
図６に示すように、ウェブページＰ１は、広告１（眼鏡広告）を含む。このウェブページＰ１は、例えば、広告に対応する商品である眼鏡Ａ１と、眼鏡Ａ１を装着する人の顔を模した像であってその顔の輪郭が破線で示された像Ｂ１と、この広告１には顔画像を合成することができる旨のメッセージを示すメッセージＣ１と、ユーザからの顔画像の合成指示を受け付けるボタンＤ１とを含む。尚、ウェブページＰ１は、図７に示すように、眼鏡Ａ１を装着する人の顔を模した像であってその顔の輪郭が破線で示された像Ｂ１を含まないページであってもよい。
【００４４】
端末装置１０は、ユーザによるボタンＤ１の押下により、合成指示を受け付けると、ユーザの顔画像の撮像を行う（Ｓ１１９）。例えば、端末装置１０が携帯電話である場合、端末装置１０は、携帯電話に備えられたカメラ等の撮像装置を起動し、ユーザの操作に基づいて、ユーザの顔画像の撮像を行う。端末装置１０は、例えば、図６に示すような撮像装置起動画面Ｐ２を表示する。この撮像装置起動画面Ｐ２は、撮像時におけるユーザの顔の位置を指定するための領域Ｅ１と、撮像指示を受け付けるボタンＤ２とを含む。尚、端末装置１０は、ユーザの顔画像の撮像を行わずに、同装置に予め記憶されたユーザの画像を選択させるようにしてもよい。また、端末装置１０は、端末装置１０の使用時に行われた顔画像認証に用いられた画像を選択させるようにしてもよい。
【００４５】
次に、端末装置１０は、顔画像の合成を要求するリクエストを広告配信サーバ３０に送信する（Ｓ１２１）。このリクエストには、例えば、撮像された顔画像と、ウェブサイトのログイン時等に使用されたユーザＩＤと、広告ＩＤとが含まれる。次に、広告配信サーバ３０は、顔画像の合成指示を広告配信支援装置４０に入力する（Ｓ１２３）。この合成指示には、撮像された顔画像と、広告に対応するコンテンツと、広告ＩＤと、ユーザＩＤとが含まれる。
【００４６】
次に、広告配信支援装置４０は、広告配信サーバ３０から受信した顔画像と、広告に対応するコンテンツとを合成する（Ｓ１２５）。広告配信支援装置４０は、例えば、顔画像を、広告に対応するコンテンツの商品の画像の少なくとも一部に合成した合成画像を生成する。また、広告配信支援装置４０は、広告配信サーバ３０から受信した顔画像と、広告ＩＤと、ユーザＩＤとを記憶部４９に記憶させる。
【００４７】
次に、広告配信支援装置４０は、記憶部４９に記憶された他のユーザの顔画像の各々が、広告配信サーバ３０から受信したユーザの顔画像と類似するか否かを判定する（Ｓ１２７）。例えば、広告配信支援装置４０は、広告配信サーバ３０から受信した広告ＩＤと同じ広告ＩＤを持つデータの他のユーザの顔画像に関して、広告配信サーバ３０から受信した顔画像と類似するか否かを判定する。
【００４８】
次に、広告配信支援装置４０は、記憶部４９に記憶されたデータのうち、広告配信サーバ３０から受信したユーザの顔画像と類似すると判定された顔画像に関連する画像関連情報を取得する（Ｓ１２９）。例えば、広告配信支援装置４０は、広告配信サーバ３０から受信したユーザの顔画像と類似すると判定された顔画像のユーザの中で、所定の広告に対応する商品を購入した割合（購入率）を画像関連情報として算出する。例えば、広告配信支援装置４０は、広告ＩＤがＡ１であるデータに関して、広告配信サーバ３０から受信したユーザの顔画像と類似すると判定された顔画像が１００個存在し、そのうち、購入情報が「購入済み」となっている顔画像が６５個存在する場合には、購入率が６５％であると算出する。
【００４９】
次に、広告配信支援装置４０は、生成した合成画像と、取得した画像関連情報とを広告配信サーバ３０に送信する（Ｓ１３１）。次に、広告配信サーバ３０は、広告配信支援装置４０から受信した合成画像および画像関連情報を用いて合成画像を含む広告のコンテンツを生成し（Ｓ１３３）、端末装置１０に送信する（Ｓ１３５）。
【００５０】
次に、端末装置１０は、ウェブブラウザの機能により、広告に対応するコンテンツのページを表示する（Ｓ１３７）。例えば、端末装置１０は、図６に示すような広告に対応するコンテンツのページＰ３を表示する。このページＰ３は、例えば、合成画像Ａ３、メッセージＣ３と、商品の購入指示を受け付けるボタンＤ３とを含む。このメッセージＣ３には、例えば、この広告１に対応する商品はユーザの顔と類似する他人の購入率が高いことを示すメッセージ「あなたと類似する顔の方の購入率は６５％です。購入しますか？」が示される。ページＰ３は、商品に関する商品情報を含んでもよい。
【００５１】
また、広告配信サーバ３０は、広告配信支援装置４０から受信した画像関連情報に含まれる購入率の値に応じて、予め設定した情報表示を行なうためのコンテンツを生成してもよい。例えば、広告配信サーバ３０は、広告配信支援装置４０から受信した画像関連情報に含まれる広告１に対応する商品の購入率が所定の閾値以上である場合（例えば、購入率１０％以上である場合）、上述の図６に示すような購入率の情報を含むページＰ３のコンテンツを生成する。
【００５２】
一方、広告配信サーバ３０は、購入率が所定の閾値未満である場合（例えば、購入率０から１０％である場合）、この商品の購入率は非表示とし、代わりに、広告１と同じ広告主の他の広告商品で、ユーザの顔と類似する他人の購入率が高い商品（例えば、購入率が５０％を超える商品）の広告商品情報を含むコンテンツを生成してよい。この場合、広告配信サーバ３０は、図８に示すような広告１と同じ広告主の他の広告商品の情報を含むページＰ４のコンテンツを生成する。このページＰ４は、例えば、広告１に対応する商品である眼鏡Ａ１の合成画像Ａ３および購入指示を受け付けるボタンＤ３に加えて、広告１と同じ広告主の他の広告に対応する商品である眼鏡Ａ４と、眼鏡Ａ４に対する顔画像の合成指示を受け付けるボタンＤ４と、眼鏡Ａ４はユーザの顔と類似する他人の購入率が高いことを示すメッセージＣ４「あなたと類似する顔の方は以下の商品を購入しています。合成しますか？」とを含む。
【００５３】
尚、広告配信サーバ３０は、広告１と同じ広告主の他の広告商品が存在しない場合や他人の購入率が高い商品が存在しない場合は、ユーザの顔と類似する他人の購入率が高い他の広告主の広告商品情報を含むコンテンツを生成してよい。この場合、広告配信サーバ３０は、例えば、図８に示すページＰ４において、広告１と同じ広告主の他の広告に対応する商品である眼鏡Ａ４に代えて、他の広告主の広告に対応する商品の情報を含むページのコンテンツを生成する。広告１と同じ広告主の他の広告商品の情報や他の広告主の広告商品の情報は、上述のＳ１３１の処理において、広告配信支援装置４０から広告配信サーバ３０に送信されるようにしてもよいし、別途、広告配信サーバ３０から取得要求を広告配信支援装置４０に対して行うことで取得されるようにしてもよい。
【００５４】
端末装置１０は、ユーザによるボタンＤ３の押下により、購入指示を受け付けると、商品の購入ページに対するリクエストを広告主サーバ５０に送信し、広告主サーバ５０から受信した購入ページのコンテンツを表示する。以上により、本シーケンス図の処理が終了する。
【００５５】
以上のような処理により、端末装置１０を操作するユーザは、任意で自身の顔画像を合成した合成画像を含むコンテンツを確認することができる。これにより、ユーザに対して、広告に対応する商品が自身に似合うという気付きを与えることができ、ユーザに広告の有益性を認識する機会を提供することが可能である。
【００５６】
［第２の動作］
以下、広告配信支援装置４０を含む広告配信システムの第２の動作について説明する。図９は、広告配信支援装置４０を含む広告配信システムの第２の動作を示すシーケンス図である。この第２の動作を行う際には、端末装置１０を操作するユーザの顔画像が予め広告配信支援装置４０の記憶部４９に記憶されているものとする。
【００５７】
まず、端末装置１０は、ユーザの操作に基づいて、ウェブページを要求するリクエストをサービス提供装置２０に送信する（Ｓ２０１）。このリクエストには、ウェブサイトのログイン時等に使用されるユーザＩＤが含まれる。次に、サービス提供装置２０は、広告の配信要求を広告配信サーバ３０に送信する（Ｓ２０３）。この配信要求には、端末装置１０から受信したユーザＩＤが含まれる。
【００５８】
次に、広告配信サーバ３０は、画像関連情報の取得指示を広告配信支援装置４０に送信する（Ｓ２０５）。この配信要求には、端末装置１０から受信したユーザＩＤが含まれる。次に、広告配信支援装置４０は、ユーザＩＤを検索キーとして、記憶部４９に記憶された画像関連情報４９Ａを検索し、このユーザＩＤと関連付けられた顔画像を取得し、取得した顔画像が、記憶部４９に記憶された他のユーザの顔画像の各々と類似するか否かを判定する（Ｓ２０７）。
【００５９】
次に、広告配信支援装置４０は、記憶部４９に記憶されたデータのうち、取得した顔画像と類似すると判定された顔画像に関連する画像関連情報を取得する（Ｓ２０９）。例えば、広告配信支援装置４０は、広告配信サーバ３０から受信したユーザの顔画像と類似すると判定された顔画像のユーザの中で、所定の広告に対応する商品を購入した割合（購入率）を算出する。次に、広告配信支援装置４０は、算出した画像関連情報を広告配信サーバ３０に送信する（Ｓ２１１）。
【００６０】
次に、広告配信サーバ３０は、広告配信支援装置４０から受信した画像関連情報に基づいて、少なくとも１つの配信対象の広告を決定する（Ｓ２１３）。例えば、広告配信サーバ３０は、上記の購入率が最も高い広告を、配信対象の広告を決定する。広告配信サーバ３０は、決定した広告のＵＲＬ等をサービス提供装置２０に送信する（Ｓ２１５）。尚、広告配信サーバ３０は、ウェブサイトへのログイン時等にユーザの特性情報が得られている場合には、この特性情報も合わせて考慮して、配信対象の広告を決定してもよい。
【００６１】
次に、サービス提供装置２０は、広告配信枠に広告配信サーバ３０から受信した広告のＵＲＬを含むウェブページを生成し（Ｓ２１７）、生成したウェブページを端末装置１０に送信する（Ｓ２１９）。次に、端末装置１０は、受信したウェブページに含まれる広告のＵＲＬを用いて、広告に対応するコンテンツを要求するリクエストを広告配信サーバ３０に送信する（Ｓ２１１）。
【００６２】
次に、広告配信サーバ３０は、受信したリクエストに応じて、広告に対応するコンテンツを記憶部３５から読み出し、端末装置１０に送信する（Ｓ２２３）。次に、端末装置１０は、ウェブブラウザの機能により、広告に対応するコンテンツが埋め込まれたウェブページを表示する（Ｓ２２５）。例えば、端末装置１０は、図１０に示すようなウェブページＰ１０を表示する。
【００６３】
図１０に示すように、ウェブページＰ１０は、広告１（眼鏡広告）を含む。この広告Ｐ１は、例えば、広告に対応する商品である眼鏡Ａ１０と、眼鏡Ａ１０を装着する人の顔を模した像であってその顔の輪郭が破線で示された像Ｂ１０と、メッセージＣ１０と、ユーザからの顔画像の合成指示を受け付けるボタンＤ１０とを含む。このメッセージＣ１０には、例えば、この広告１には顔画像を合成することができること、およびこの広告１に対応する商品はユーザの顔と類似する他人の購入率が高いことを示すメッセージ「あなたと類似する顔の方の購入率が６５％の顔合成できる広告があります。合成しますか？」が示される。
【００６４】
端末装置１０は、ユーザによるボタンＤ１０の押下により、合成指示を受け付けると、ユーザの顔画像の撮像を行う（Ｓ２２７）。例えば、端末装置１０が携帯電話である場合、端末装置１０は、携帯電話に備えられたカメラ等の撮像装置を起動し、ユーザの操作に基づいて、ユーザの顔画像の撮像を行う。端末装置１０は、例えば、図１０に示すような撮像装置起動画面Ｐ２０を表示する。この撮像装置起動画面Ｐ２０は、撮像時におけるユーザの顔の位置を指定するための領域Ｅ１０と、撮像指示を受け付けるボタンＤ２０とを含む。
【００６５】
次に、端末装置１０は、顔画像の合成を要求するリクエストを広告配信サーバ３０に送信する（Ｓ２２９）。このリクエストには、例えば、撮像された顔画像と、ユーザＩＤと、広告ＩＤとが含まれる。次に、広告配信サーバ３０は、顔画像の合成指示を広告配信支援装置４０に入力する（Ｓ２３１）。この合成指示には、撮像された顔画像と、広告に対応するコンテンツと、広告ＩＤと、ユーザＩＤとが含まれる。
【００６６】
次に、広告配信支援装置４０は、広告配信サーバ３０から受信した顔画像と、広告に対応するコンテンツとを合成する（Ｓ２３３）。広告配信支援装置４０は、例えば、顔画像を、広告に対応するコンテンツの商品の画像の少なくとも一部に合成した合成画像を生成する。また、広告配信支援装置４０は、広告配信サーバ３０から受信した顔画像と、広告ＩＤと、ユーザＩＤとを記憶部４９に記憶させる。
【００６７】
次に、広告配信支援装置４０は、生成した合成画像を広告配信サーバ３０に送信する（Ｓ２３５）。次に、広告配信サーバ３０は、広告配信支援装置４０から受信した合成画像および画像関連情報を用いて合成画像を含む広告のコンテンツを生成し（Ｓ２３７）、端末装置１０に送信する（Ｓ２３９）。
【００６８】
次に、端末装置１０は、ウェブブラウザの機能により、広告に対応するコンテンツのページを表示する（Ｓ２４１）。例えば、端末装置１０は、図１０に示すような広告に対応するコンテンツのページＰ３０を表示する。このページＰ３０は、例えば、合成画像Ａ３０と、商品の購入指示を受け付けるボタンＤ３０とを含む。ページＰ３０は、商品に関する商品情報を含んでもよい。
【００６９】
端末装置１０は、ユーザによるボタンＤ３の押下により、購入指示を受け付けると、商品の購入ページに対するリクエストを広告主サーバ５０に送信し、広告主サーバ５０から受信した購入ページのコンテンツを表示する。以上により、本シーケンス図の処理が終了する。
【００７０】
以上のような処理により、端末装置１０を操作するユーザは、任意で自身の顔画像を合成した合成画像を含むコンテンツを確認することができる。また、この第２の動作の場合、ユーザは、顔合成する前に、ユーザの顔と類似する他人に関する情報（例えば、購入率等）を取得することができる。これにより、ユーザに対して、広告に対応する商品が自身に似合うという気付きを与えることができ、ユーザに広告の有益性を認識する機会を提供することが可能である。
【００７１】
本発明の実施形態による広告配信支援装置は、顔画像を取得する第１取得部と、前記第１取得部によって取得された前記顔画像を、電子広告に含まれる商品の画像の少なくとも一部に埋め込んだ合成画像を生成する合成部とを備えることで、ユーザに広告の有益性を認識する機会を提供することが可能である。
【００７２】
以上、本発明を実施するための形態について実施形態を用いて説明したが、本発明はこうした実施形態に何ら限定されるものではなく、本発明の要旨を逸脱しない範囲内において種々の変形及び置換を加えることができる。
【符号の説明】
【００７３】
１０…端末装置
２０…サービス提供装置
３０…広告配信サーバ
４０…広告配信支援装置
５０…広告主サーバ
３１…通信部
３３…広告決定部
３５…記憶部
４１…通信部
４３…画像合成部
４５…類似判定部
４７…画像関連情報取得部
４９…記憶部
【図１】
2019091366.tif 000003
【図２】
2019091366.tif 000004
【図３】
2019091366.tif 000005
【図４】
2019091366.tif 000006
【図５】
2019091366.tif 000007
【図６】
2019091366.tif 000008
【図７】
2019091366.tif 000009
【図８】
2019091366.tif 000010
【図９】
2019091366.tif 000011
【図１０】
2019091366.tif 000012